(57)【要約】      （修正有）【課題】温度による光学長変化が少なく、かつ信頼性の高い光増幅器またはレーザ装置を構成する方法を提供する。【解決手段】少なくとも、所定の波長（波長１）で光信号を増幅できる増幅媒体と、該増幅媒体を増幅可能な状態に励起できる波長（波長２）の光を放射する励起光源と、波長１の信号光を入力する入力ポートと、波長１の光と波長２の光を合波できる合波器と、増幅された波長１の光を出力する出力ポートとを備えた光増幅器において、増幅媒体の一部がフッ化物ガラスからなり、実効的な光学長の温度依存性（dL/dT）を小さくすることを特徴とするアサーマル光増幅器および、アサーマル・レーザ装置。【選択図】  図１
2006310450.tif 000002
【特許請求の範囲】
【請求項１】
少なくとも、所定の波長（波長１）で光信号を増幅できる増幅媒体と、該増幅媒体を増幅可能な状態に励起できる波長（波長２）の光を放射する励起光源と、波長１の信号光を入力する入力ポートと、波長１の光と波長２の光を合波できる合波器と、増幅された波長１の光を出力する出力ポートとを備えた光増幅器において、増幅媒体の一部がフッ化物ガラスからなり、実効的な光学長の温度依存性（dL/dT）を小さくすることを特徴とするアサーマル光増幅器。
【請求項２】
少なくとも、所定の波長（波長１）で光信号を増幅できる増幅媒体と、該増幅媒体を増幅可能な状態に励起できる波長（波長２）の光を放射する励起光源と、波長１の光と波長２の光を合波できる合波器と、波長１の光でレーザ発振可能な帰還方法と、波長１のレーザ光を出力する出力ポートとを備えたレーザ装置において、増幅媒体の一部がフッ化物ガラスからなり、実効的な光学長の温度依存性（dL/dT）を小さくすることを特徴とするアサーマル・レーザ装置。
【請求項３】
増幅媒体が、少なくとも光を導波するコア部とそれを取り巻くクラッド部から成り、少なくともコア部に増幅作用の得られるドーピング剤が添加されていることを特徴とする、請求項１または請求項２に記載のアサーマル光増幅器またはアサーマル・レーザ装置。
【請求項４】
増幅媒体の一部が酸化物ガラス、ハライド酸化物ガラス，ハライドガラス，カルコゲナイドガラス，カルコハライドガラス，テルライトガラス，ビスマス酸塩ガラス，ゲルマネートガラス，ガリウム酸塩ガラスから選ばれる少なくとも一種類のガラスからなることを特徴とする、請求項１乃至請求項３のいずれかに記載のアサーマル光増幅器またはアサーマル・レーザ装置。
【請求項５】
増幅媒体、励起光源、合分波器などの光学要素が各々または集積化されてモジュール化されており、各モジュール間を石英ファイバで接続し、入力ポートおよび出力ポートが光アダプタまたは光コネクタで終端されており、
増幅媒体の少なくとも一部に用いられるフッ化物ガラスの媒体長を調整することでアサーマル化を達成することを特徴とする、請求項１乃至請求項４のいずれかに記載のアサーマル光増幅器またはアサーマル・レーザ装置。
【請求項６】
フッ化物ガラス増幅媒体がフッ化物ファイバであり、入力端と出力端を備え、該入力端と出力端は石英ファイバから成り、フッ化物ファイバと石英ファイバが融着されており、少なくともフッ化物ファイバと融着部分がハーメチックシールされたモジュールであることを特徴とする、請求項１乃至請求項５のいずれか記載のアサーマル光増幅器またはアサーマル・レーザ装置。
【請求項７】
フッ化物ガラス増幅媒体の長さが５ｍ以下であることを特徴とする、請求項１乃至請求項６のいずれかに記載のアサーマル光増幅器またはアサーマル・レーザ装置。
【請求項８】
実効的な光学長の温度依存性（dL/dT）が±50μm/K以内であることを特徴とする請求項１〜請求項７のいずれかに記載のアサーマル光増幅器またはアサーマル・レーザ装置。
【発明の詳細な説明】
【技術分野】
【０００１】
本発明は、温度による光学長変化がほとんどない、アサーマル光増幅器およびアサーマル・レーザ装置に関する。
【背景技術】
【０００２】
光増幅器やレーザは、光通信や計測などの分野において、主に石英ファイバを用いた装置として実用化されている。
【０００３】
例えば、１．３〜１．６５μm帯での光通信用ファイバ光増幅器では、石英ファイバのコア部にＥｒ、Ｐｒ、Ｎｄ、Ｔｍなどを添加して増幅媒体として使用する例が多数報告されている。また、リン酸塩系のガラス導波路を用いた小型の光増幅器、ビスマス系ガラスファイバを用いた光増幅器、テルライト系ガラスを用いた光増幅器、フッ化物ガラスファイバを用いた光増幅器なども報告されている。
【０００４】
増幅器と同様にレーザにおいても、石英ファイバや他の組成のガラスファイバや導波路を用いた種々の構成のレーザが報告されている。
【０００５】
これらの装置では、高出力化、使用可能な波長の探索、分散の補償による短パルス化は精力的に行われているが、温度依存性の解消に関しては簡単かつ有効な手だてが見つかっていない。石英ファイバを例に取ると、使用ファイバ長が20mの一般的なEr添加光増幅器では、石英ガラスの熱膨張係数は0.5×10-6/K程度であり、この影響だけを考慮してもdL/dT＝10μm/Kとなる。実際には屈折率の温度依存性も正なので、実効的光学長変化は250μm/Kに達する。このような変化量は、例えば繰り返し周波数40GHz以上の高繰り返し信号に対して、タイミングずれによるビットエラーレート増加を引き起こす危険性が高い。
【０００６】
光増幅器やレーザ装置の光学経路長の温度依存性（dL/dT）は、以下の式で与えられる。
【０００７】
【数１】
2006310450.tif 000003
【０００８】
上記の式で、通常の光学材料の屈折率の温度依存性（dn/dT）と膨張係数（k）は正の値であることから、各光学部品の dL/dT を相殺するには、k または dn/dT またはその両方が負の材料を使用する必要があると判る。
【０００９】
k が負の材料としては、結晶化ガラスや一部の酸化物が知られているものの、光学経路内に挿入できるような、光学的に十分に低損失な材料は知られていない。
dn/dT が負の材料としては、シリコーン樹脂などの樹脂材料、フッ化物ガラスなどイオン性結合のガラス材料や結晶材料、一部のリン酸塩ガラスやホウ珪酸塩ガラスなどの酸化物ガラスが知られている。シリコーン樹脂などの樹脂材料を用いた光学長の温度補償はアレイ導波路回折格子（ＡＷＧ）素子で検討されており、実際にアサーマルＡＷＧ素子として販売もされている(特許文献１)。
【００１０】
また、近年フッ化物ファイバの取り扱い技術が飛躍的に向上し、実用的な光学材料として浮上してきた。そのため、上記温度補償にフッ化物ガラスを使用することが考えられる。この場合、増幅器外で使用される一般的なファイバは石英ガラスファイバであるため、フッ化物ファイバと石英ファイバを接続する必要がある。従来の接続方法としては、接着剤などで固定する方法が紹介されている（特許文献２）。
【特許文献１】特開平１０−２２７９３０号公報
【特許文献２】特開平６−２７３４３号公報
【発明の開示】
【発明が解決しようとする課題】
【００１１】
しかし、前述した特開平１０−２２７９３０号公報によるような、接着剤などの樹脂材料は短パルスの高ピークパワーや急峻な電界強度変化によって破壊されやすく、耐久性に問題がある。このため、これらの装置の光学部分を温度制御したり、使用温度範囲を狭く制限する必要があった。また、樹脂で補償する方法は、樹脂材料の透明性に限界があるために、補償可能な素子サイズが小さい。さらに、損失は吸収と等価であり、樹脂材料を用いた補償方法が高強度短パルス用素子に使用できないことは明白である。
【００１２】
また、フッ化物ガラスを使用して温度補償を行う場合でも、前述した特開平６−２７３４３号公報によるような樹脂や接着剤を用いる方法では、前述の樹脂材料による補償方法と同じように、短パルスや高光強度パルスが通過すると損傷が起きやすいため、実用的でない。接着剤を用いずに空間を空けて固定した場合は、空気との屈折率差により電界集中が起こり、損傷が起こりやすいため、短パルス応用には不向きである。
【００１３】
さらに、フッ化物などのイオン性固体であっても、一般的に負の dn/dT の値は、他の光学部品に使用される光学材料の正の dn/dT の値と絶対値が同程度であり、補正できる値が小さいか、または長尺の光学長が必要となる。例えば、フッ化物ガラスのdn/dT値は-15×10-6/K程度であり、石英ガラスのもつ11.9×10-6/Kと同程度であるため、温度補償のためには同程度の長さが必要である。
【００１４】
このように、従来の技術では、dL/dTを小さくし、かつ信頼性の高い光増幅器またはレーザ装置を構成できない問題がある。
【課題を解決するための手段】
【００１５】
本発明は、少なくとも、所定の波長（波長１）で光信号を増幅できる増幅媒体と、該増幅媒体を増幅可能な状態に励起できる波長（波長２）の光を放射する励起光源と、波長１の信号光を入力する入力ポートと、波長１の光と波長２の光を合波できる合波器と、増幅された波長１の光を出力する出力ポートとを備えた光増幅器において、増幅媒体の一部がフッ化物ガラスからなり、実効的な光学長の温度依存性（dL/dT）を小さくすることを特徴とするアサーマル光増幅器である。                          
【００１６】
また、少なくとも、所定の波長（波長１）で光信号を増幅できる増幅媒体と、該増幅媒体を増幅可能な状態に励起できる波長（波長２）の光を放射する励起光源と、波長１の光と波長２の光を合波できる合波器と、波長１の光でレーザ発振可能な帰還方法と、波長１のレーザ光を出力する出力ポートとを備えたレーザ装置において、増幅媒体の一部がフッ化物ガラスからなり、実効的な光学長の温度依存性（dL/dT）を小さくすることを特徴とするアサーマル・レーザ装置である。
【００１７】
また、増幅媒体が、少なくとも光を導波するコア部とそれを取り巻くクラッド部から成り、少なくともコア部に増幅作用の得られるドーピング剤が添加されていることを特徴とする、上記のアサーマル光増幅器またはアサーマル・レーザ装置である。
【００１８】
また、増幅媒体の一部が酸化物ガラス、ハライド酸化物ガラス，ハライドガラス，カルコゲナイドガラス，カルコハライドガラス，テルライトガラス，ビスマス酸塩ガラス，ゲルマネートガラス，ガリウム酸塩ガラスから選ばれる少なくとも一種類のガラスからなることを特徴とする、上記のアサーマル光増幅器またはアサーマル・レーザ装置である。
【００１９】
また、増幅媒体、励起光源、合分波器などの光学要素が各々または集積化されてモジュール化されており、各モジュール間を石英ファイバで接続し、入力ポートおよび出力ポートが光アダプタまたは光コネクタで終端されており、増幅媒体の少なくとも一部に用いられるフッ化物ガラスの媒体長を調整することでアサーマル化を達成することを特徴とする、上記のアサーマル光増幅器またはアサーマル・レーザ装置である。
【００２０】
また、フッ化物ガラス増幅媒体がフッ化物ファイバであり、入力端と出力端を備え、該入力端と出力端は石英ファイバから成り、フッ化物ファイバと石英ファイバが融着されており、少なくともフッ化物ファイバと融着部分がハーメチックシールされたモジュールであることを特徴とする、上記のアサーマル光増幅器またはアサーマル・レーザ装置である。
【００２１】
さらに、フッ化物ガラス増幅媒体の長さが５ｍ以下であることを特徴とする、上記ののアサーマル光増幅器またはアサーマル・レーザ装置である。
さらにまた、実効的な光学長の温度依存性（dL/dT）が±50μm/K以内であることを特徴とする上記のアサーマル光増幅器またはアサーマル・レーザ装置である。
【発明の効果】
【００２２】
本発明によれば、dL/dTを小さくすることにより、伝送情報の到達時間の差を抑制出来るため、実効的にエラーのない通信を実現かつ信頼性の高い光増幅器またはレーザ装置を構成することが可能となり、広い温度範囲で安定に同期動作可能な通信システムや計測システムを構築できる。
【発明を実施するための最良の形態】
【００２３】
本発明の重要な点は、増幅媒体に温度補償用の材料を使用することにある。光増幅作用は、励起光によって所定の上準位に励起された状態で、共鳴周波数の光が入力することにより、所定の下準位に脱励起することによって得られる。この際、増幅作用が得られる光子エネルギーと、励起波長の光子エネルギーでは後者の方が大きいため、励起光のエネルギーの一部は増幅媒体中で熱に変換される。このため、増幅媒質は加熱され、周囲温度よりも高温になる事が判っている。この結果、増幅媒体に負の dn/dT を持つ材料を使用した場合、増幅時に放出される余剰の熱によって負の屈折率変化が増長され、比較的短尺で大きな温度補償効果を得ることができる。
【００２４】
フッ化物増幅媒体は、他の増幅媒体と組み合わせた場合にも同様の効果を発揮できることは明白である。このような使用方法は、カスケード型光増幅器やリジェネレイティブ・レーザパワー増幅や注入型増幅器などで見られるが、他の増幅媒体の dn/dT が正の場合は熱による正の屈折率変化が増長されるので、フッ化物の温度補償効果と打ち消し合う事に注意する必要がある。
【００２５】
フッ化物材料を増幅媒体として使用すれば、前述の理由により短尺でも十分に温度補償可能で、一般的には５ｍ以下、小型装置では３ｍ以下の長さで補償できる。一方、短尺すぎる場合には効果が期待できないことから、集積化光部品の場合においても１ｍｍ以上の長さであることが好ましい。
【００２６】
この構成でフッ化物ファイバと異種材料ファイバの接続が必要な場合、融着によることが望ましい。融着により、光学経路は樹脂材料を全く使用しない構成が可能となり、短パルスや高光強度パルスが通過した場合の耐光損傷性が向上する。また、耐熱性も向上するため、増幅媒体が加熱するような本発明の構成において、好ましい。
【００２７】
補償後の実効光学長の温度依存性は±50μm/K以内であることが好ましい。この値を超えると、40GHz以上の同期でビットエラーレートが大きくなり、実用的でない。さらに好ましい値として、補償後の実効光学長の温度依存性は±10μm/K以内である。
【００２８】
フッ化物は温度安定化のために、金属または金属箔を用いた熱伝導性の良好な容器にハーメチックシールで収容することが好ましい。また、ファイバを収容した容器を積極的に温度制御することで、より大きな温度補償効果を得ることもできる。
【００２９】
上述の温度依存性補償方法は、物質の根元的な性質を利用しているため、使用する波長などによらず、適用範囲が広い事は自明である。本発明の方法によるアサーマル光増幅器やアサーマル・レーザは、増幅媒体に希土類や遷移金属を添加する光増幅器やレーザ装置、ラマン増幅器やラマンレーザ、誘導ブリュアン増幅器や誘導ブリュアンレーザ、光パラメトリック増幅器や光パラメトリックレーザ、半導体レーザ励起固体レーザ（DPSS）など、全ての型式の装置に適用可能である。
【実施例１】
【００３０】
実施例１の光増幅器の構成を図１に示す。励起には波長０．６９μｍの半導体レーザ２と、波長１．４０μｍの半導体レーザ３を合波し、光合分波素子４と高ＮＡの石英ファイバ５を介して光増幅用フッ化物ファイバモジュール１と結合している。
【００３１】
コアにＴｍＦ３を０．２ｍｏｌ％、添加したフッ化物ファイバを石英ファイバと融着接続し、ステンレス製の金属パッケージに封入したファイバモジュールを増幅媒質として用いた。フッ化物ファイバ長は４ｍ、石英ファイバや他の光学部品の合計長さは１２ｍである。
【００３２】
１．４７μｍ帯の高繰り返し信号発生器６からの信号光を１×２スプリッタ９に通して光合分波素子４に入射し、そのあと光増幅用フッ化物ファイバモジュール１に入射し、増幅された出射光を光アイソレータ７に通して計測器８に導いた。１×２スプリッタ９で分離された信号は温度一定に保たれた基準光路１０を通して計測器８に導かれている。計測器８では、パルス到着時間と光増幅系１１の温度の関係を計測した。光増幅器の入出力端と光源、計測器はＳＣ／ＡＰＣコネクタ１２で接続した。
【００３３】
結果を図２に示す。温度範囲として１０〜４０℃において、パルス到着時間のずれは０．０５ｐｓ/℃以下であり、光学長の温度依存性は１０μm/℃以下と判った。
【実施例２】
【００３４】
実施例２に使用した光増幅器の構成を図３に示す。励起には波長０．９７７μｍの半導体レーザ２２を、光合分波素子２４と高ＮＡの石英ファイバ２５を介して、Ｓ−ＥＤＦ付き光増幅用フッ化物ファイバモジュール２１と結合している。
【００３５】
コアにＥｒＦ３を０．５ｍｏｌ％、ＣｅＦ３を５．０ｍｏｌ％、ＹｂＦ３を０．１５ｍｏｌ％添加したフッ化物ファイバを、Ｅｒ添加石英ファイバ（Ｓ−ＥＤＦ）と融着接続し、ステンレス製の金属パッケージに封入したファイバモジュールを増幅媒質として用いた。フッ化物ファイバ長は２ｍ、Ｓ−ＥＤＦの長さは合計１ｍ、その他石英ファイバや他の光学部品の合計長さは３ｍである。
【００３６】
１．５５μｍ帯の高繰り返し信号発生器２６からの信号光を１×２スプリッタ２９に通して光合分波素子２４に入射し、そのあと光増幅用フッ化物ファイバモジュール２１に入射し、増幅された出射光を光アイソレータ２７に通して計測器２８に導いた。１×２スプリッタ２９で分離された信号は温度一定に保たれた基準光路３０を通して計測器２８に導かれている。計測器２８では、パルス到着時間と光増幅系３１の温度の関係を計測した。光増幅器の入出力端と光源、計測器はＳＣ／ＡＰＣコネクタ３２で接続した。
【００３７】
結果を図４に示す。温度範囲として１０〜４０℃において、パルス到着時間のずれは０．１５ｐｓ/℃以下であり、光学長の温度依存性は３２μm/℃と判った。
【実施例３】
【００３８】
実施例３のレーザの構成を図５に示す。励起には波長０．９７７μｍの半導体レーザ４２を、高ＮＡの石英ファイバ４５を介して、上記共振器モジュール４１と結合している。
【００３９】
コアにＥｒＦ３を０．２５ｍｏｌ％、ＣｅＦ３を３．０ｍｏｌ％、ＹｂＦ３を４．０ｍｏｌ％添加したフッ化物ファイバと、１．５５μmの光を１００％反射するファイバ・ブラッグ・グレーティング（ＦＢＧ）を融着接続し、フッ化物ファイバの反対側には１．５５μm帯の光を１０％反射するＦＢＧを融着接続し、ステンレス製の金属パッケージに封入して、共振器モジュールとした。共振器モジュールに使用したフッ化物ファイバ長は０．２５ｍで、ＦＢＧを含む石英ファイバの長さは合計１ｍ、その他石英ファイバや他の光学部品の合計長さは０．５ｍである。
【００４０】
ＦＢＧ４４とフッ化物ファイバで構成される共振器モジュール４１の一部には偏光制御素子４３が挿入されており、モードロック動作するように調整されている。レーザの発振周波数は８８ＭＨｚである。レーザ出力は光アイソレータ４７を通って計測器４８に導かれる。１．５５μｍ帯の基準用高繰り返し信号発生器４６からの信号光は温度一定に保たれた基準光路５０を通して計測器４８に直接導かれている。計測器４８では、パルス到着時間とレーザ系５１の温度の関係を計測した。レーザ装置の出力端はＳＣ／ＡＰＣアダプタ５２であり、計測器とはＳＣ／ＡＰＣコネクタ付きパッチコード５３で接続した。
【００４１】
結果を図６に示す。温度範囲として１０〜４０℃において、パルス到着時間のずれは０．２〜０．２４ｐｓ/℃であり、光学長の温度依存性は４１〜５０μm/℃と判った。
【実施例４】
【００４２】
実施例４の次に測定に使用した光増幅器の構成を図７に示す。励起には波長０．９７７μｍの半導体レーザ６２を用い、光合分波素子６４と高ＮＡの石英ファイバ６５を介して上記の光増幅用ファイバモジュール６１と結合している。
【００４３】
コアにＥｒＦ３を０．２ｍｏｌ％、添加したフッ化物ファイバをＥｒ２Ｏ３添加テルライトファイバと融着接続し、さらに石英ファイバと融着して、ステンレス製の金属パッケージに封入したファイバモジュールを増幅媒質として用いた。フッ化物ファイバ長は２．５ｍ、テルライトファイバ長は０．４ｍ、石英ファイバや他の光学部品の合計長さは５ｍである。
【００４４】
１．５５μｍ帯の高繰り返し信号発生器６６からの信号光を１×２スプリッタ６９に通して光合分波素子６４に入射し、そのあと光増幅用ファイバモジュール６１に入射し、増幅された出射光を光アイソレータ６７に通して計測器６８に導いた。１×２スプリッタ６９で分離された信号は温度一定に保たれた基準光路７０を通して計測器６８に導かれている。計測器６８では、パルス到着時間と光増幅系７１の温度の関係を計測した。光増幅器の入出力端はＳＣ／ＡＰＣアダプタ７２であり、光源、計測器とはＳＣ／ＡＰＣコネクタ付きパッチコード７３で接続した。
【００４５】
結果を図８に示す。温度範囲として１０〜４０℃において、パルス到着時間のずれは０．０５ｐｓ/℃以下であり、光学長の温度依存性は１０μm/℃以下と判った。
【実施例５】
【００４６】
実施例５のレーザの構成を図９に示す。励起には波長０．９７４μｍの半導体レーザ８２を、高ＮＡの石英ファイバ８５を介して、上記のＦＢＧ８４とフッ化物ファイバで構成される共振器モジュール８１と結合している。
【００４７】
コアにＥｒＦ３を０．２５ｍｏｌ％、ＹｂＦ３を０．１ｍｏｌ％添加したフッ化物ファイバと、０．５４３μmの光を１００％反射するファイバ・ブラッグ・グレーティング（ＦＢＧ）を融着接続し、フッ化物ファイバの反対側には０．５４３μm帯の光を８０％反射するＦＢＧを融着接続し、フッ化物ファイバと融着接続部をステンレス製の金属パッケージに封入して、共振器モジュールとした。ＦＢＧはパッケージの外側に出ている。フッ化物ファイバ長は２ｍで、ＦＢＧを含む石英ファイバの長さは合計２ｍ、その他石英ファイバや他の光学部品の合計長さは５ｍである。
【００４８】
共振器モジュールの一部には外部変調器８３が挿入されており、モードロック動作するように調整されている。レーザの発振周波数は３７ＭＨｚである。レーザ出力は光アイソレータ８７を通して計測器８８に導かれている。１．５５μｍ帯の基準用高繰り返し信号発生器８６からの信号光は温度一定に保たれた基準光路９０を通して計測器８８に直接導かれている。計測器８８では、パルス到着時間とレーザ系９１の温度の関係を計測した。レーザの出力端と計測器はＳＣ／ＡＰＣコネクタ９２で接続した。
【００４９】
結果を図１０に示す。温度範囲として１０〜４０℃において、パルス到着時間のずれは−０．０５〜０．２ｐｓ/℃であり、光学長の温度依存性は−１０〜４１μm/℃と判った。
【図面の簡単な説明】
【００５０】
【図１】実施例１の光増幅器の構成を示す図である。
【図２】実施例１の結果を示す図である。
【図３】実施例２の光増幅器の構成を示す図である。
【図４】実施例２の結果を示す図である。
【図５】実施例３のレーザの構成を示す図である。
【図６】実施例３の結果を示す図である。
【図７】実施例４の光増幅器の構成を示す図である。
【図８】実施例４の結果を示す図である。
【図９】実施例５のレーザの構成を示す図である。
【図１０】実施例５の結果を示す図である。
【符号の説明】
【００５１】
１  光増幅用フッ化物ファイバモジュール
２  波長０．６９μmの励起波長を供給する半導体レーザ
３  波長１．４０μmの励起波長を供給する半導体レーザ
４  光合分波素子
５  高ＮＡ石英ファイバ
６  波長１．４７μm帯の高繰り返し信号光発生器
７  光アイソレータ
８  計測器
９  １×２スプリッタ
１０  温度一定に保たれた基準光路
１１  光増幅系
２１  光増幅用フッ化物ファイバモジュール
２２  波長０．９７７μmの励起波長を供給する半導体レーザ
２４  光合分波素子
２５  高ＮＡ石英ファイバ
２６  波長１．５５μm帯の高繰り返し信号光発生器
２７  光アイソレータ
２８  計測器
２９  １×２スプリッタ
３０  温度一定に保たれた基準光路
３１  光増幅系
４１  レーザ共振器モジュール
４２  波長０．９７７μmの励起波長を供給する半導体レーザ
４３  偏光制御素子
４４  ファイバ・ブラッグ・グレーティング（ＦＢＧ）
４５  高ＮＡ石英ファイバ
４６  波長１．５５μm帯の基準用高繰り返し信号光発生器
４７  光アイソレータ
４８  計測器
５０  温度一定に保たれた基準光路
５１  レーザ系
５２  ＳＣ／ＡＰＣアダプタ
５３  ＳＣ／ＡＰＣコネクタ付きパッチコード
６１  光増幅用ファイバモジュール
６２  波長０．９７７μmの励起波長を供給する半導体レーザ
６４  光合分波素子
６５  高ＮＡ石英ファイバ
６６  波長１．５５μm帯の高繰り返し信号光発生器
６７  光アイソレータ
６８  計測器
６９  １×２スプリッタ
７０  温度一定に保たれた基準光路
７１  光増幅系
７２  ＳＣ／ＡＰＣアダプタ
７３  ＳＣ／ＡＰＣコネクタ付きパッチコード
８１  レーザ共振器モジュール
８２  波長０．９７４μmの励起波長を供給する半導体レーザ
８３  外部変調器
８４  ファイバ・ブラッグ・グレーティング（ＦＢＧ）
８５  高ＮＡ石英ファイバ
８６  波長１．５５μm帯の基準用高繰り返し信号光発生器
８７  光アイソレータ
８８  計測器
９０  温度一定に保たれた基準光路
９１  レーザ系
９２  ＳＣ／ＡＰＣコネクタ
【図１】
2006310450.tif 000004
【図２】
2006310450.tif 000005
【図３】
2006310450.tif 000006
【図４】
2006310450.tif 000007
【図５】
2006310450.tif 000008
【図６】
2006310450.tif 000009
【図７】
2006310450.tif 000010
【図８】
2006310450.tif 000011
【図９】
2006310450.tif 000012
【図１０】
2006310450.tif 000013